(57)【要約】      （修正有）【課題】装置本体前面部のパネル開閉の機構を簡素化する。【解決手段】操作パネルが閉塞している時、ロック解除アームが第１の状態にあるトグル部材２４によりヒンジアーム２２の第１〜第３のロック凹部４５ａ〜４５ｃより内側に位置し、コロ６３が付勢部材２６によりヒンジアームの第１のロック凹部に係合する。操作パネルが開方向に回動されると、ヒンジアームは、前記コロがヒンジアームの第２又は第３のロック凹部に係合するまで移動し、操作パネルが装置本体の前面部を開いて保持される。更に、操作パネルが開方向に回動されると、トグル部材が第２の状態に反転し、ロック解除アームが第１〜第３のロック凹部と重なる位置まで移動し、コロを係合禁止状態とする。次に、操作パネルが閉方向に回動されると、トグル部材が第１の状態に反転し、ロック解除アームがトグル部材によりヒンジアームの各ロック凹部より内側に位置し閉じた状態に保持される。【選択図】図２
2008262653.tif 000002
【特許請求の範囲】
【請求項１】
装置本体の一側面に取り付けられ、この一側面を開閉するパネルの開閉機構において、
上記装置本体の一側面に固定されるブラケットと、
上記ブラケットに、上記パネルの開閉方向に移動可能に支持され、一端部に上記パネルが取り付けられ、他端部に上記ブラケットの開口端に係合して開方向の移動量を制限する係合部が形成され、長さ方向の一側縁部に、上記パネルを上記装置本体の一側面を開いた状態に保持する少なくとも一のロック凹部が形成されたヒンジアームと、
上記ヒンジアームに重なるように、このヒンジアームの幅方向に対して移動可能に取り付けられ、上記係合部に対応する端部に上記ブラケットの一部に押圧される第１の被押圧部が形成され、長さ方向の一側縁部に上記ブラケットの一部に押圧される第２の被押圧部が形成されたロック解除アームと、
上記ブラケットに回動可能に取り付けられ、上記ヒンジアームのロック凹部に係合するロック部を有するロックアームと、
上記ロックアームを、上記ロック部が上記ヒンジアームのロック凹部に係合する方向に付勢する付勢部材とを備え、
上記装置本体の一側面を上記パネルが閉塞しているとき、上記ロック解除アームが上記ヒンジアームのロック凹部より内側に位置しており、上記ロック部が上記付勢部材によって上記ヒンジアームの一側縁部に当接した状態にあり、
上記パネルが開方向に回動されると、上記ヒンジアームは、上記ロック解除アームと一体的に上記ブラケットに対して上記ロックアームのロック部が上記ヒンジアームのロック凹部に係合するまで移動し、上記パネルが上記装置本体の一側面を開いた状態に保持され、
更に、上記パネルが上記ヒンジアームの係合部が上記ブラケットに係合するまで開方向に回動されるとき、上記ロック解除アームの第１の被押圧部が上記ブラケットの一部によって押圧され、上記ロック解除アームが上記ヒンジアームのロック凹部と重なる位置まで移動して、上記ロック凹部に対する上記ロック部の係合禁止状態となり、
次いで、上記パネルが閉方向に回動されると、上記ヒンジアームは、上記ロック部が上記ロック凹部に係合することなく上記ロック解除アームと一体的に上記ブラケットに対して同方向に移動し、
次いで、上記ロック解除アームの第２の被押圧部が上記ブラケットの一部によって押圧され、上記ヒンジアームのロック凹部より内側に位置され、上記パネルが上記装置本体の一側面を閉じた状態に保持されることを特徴とするパネルの開閉機構。
【請求項２】
更に、上記ヒンジアームと上記ロック解除アームとを連結し、第１の状態にあるとき、上記ロック解除アームを、上記ヒンジアームのロック凹部より内側の位置に位置した状態に維持し、第２の状態にあるとき、上記ロック解除アームが上記ヒンジアームのロック凹部と重なる位置に維持するトグル部材を備え、
上記トグル部材は、上記装置本体の一側面を上記パネルが閉塞しているとき、上記ロック解除アームを上記ヒンジアームのロック凹部より内側に配置させ、上記パネルが開方向に回動されると、上記第１の状態から第２の状態に反転することにより、上記ロック解除アームが上記ヒンジアームのロック凹部と重なる位置まで移動させ、上記パネルが閉方向に回動されると、上記第２の状態から第１の状態に反転することにより、上記ロック解除アームを上記ヒンジアームのロック凹部より内側に移動させるようにしたことを特徴とする請求項１記載のパネルの開閉機構。
【請求項３】
上記ヒンジアームのロック凹部は、複数設けられており、上記ロック部が選択的にロック凹部に係合することで、上記パネルが上記装置本体の一側面を開いた状態を複数の姿勢で保持できるようにする請求項１記載のパネルの開閉機構。
【請求項４】
上記ロック凹部は、更に、上記パネルが上記装置本体の一側面を閉じた状態に対応して上記ヒンジアームに形成されていることを特徴とする請求項１記載のパネルの開閉機構。
【請求項５】
上記ロックアームは、上記ヒンジアームが上記装置本体の一側面を閉じる方向に移動する際の下流側に回動支点が設けられ、上流側に上記ロック部が形成され、
上記ロック凹部は、上記ヒンジアームが上記装置本体の一側面を閉じる方向に移動する際の上流側の縁部が急峻に形成され、下流側の縁部がなだらかに形成されていることを特徴とする請求項１記載のパネルの開閉機構。
【請求項６】
一側面に操作部が設けられた機器本体と、
上記機器本体の一側面を開閉するパネルと、
上記機器本体の一側面に対して上記パネルを回動支持する開閉機構とを備え、
上記開閉機構は、上記機器本体の一側面に固定されるブラケットと、
上記ブラケットに、上記パネルの開閉方向に移動可能に支持され、一端部に上記パネルが取り付けられ、他端部に上記ブラケットの開口端に係合して開方向の移動量を制限する係合部が形成され、長さ方向の一側縁部に、上記パネルを上記機器本体の一側面を開いた状態に保持する少なくとも一のロック凹部が形成されたヒンジアームと、
上記ヒンジアームに重なるように、このヒンジアームの幅方向に対して移動可能に取り付けられ、上記係合部に対応する端部に上記ブラケットの一部に押圧される第１の被押圧部が形成され、長さ方向の一側縁部に上記ブラケットの一部に押圧される第２の被押圧部が形成されたロック解除アームと、
上記ブラケットに回動可能に取り付けられ、上記ヒンジアームのロック凹部に係合するロック部を有するロックアームと、
上記ロックアームを、上記ロック部が上記ヒンジアームのロック凹部に係合する方向に付勢する付勢部材とを備え、
上記機器本体の一側面を上記パネルが閉塞しているとき、上記ロック解除アームが上記ヒンジアームのロック凹部より内側に位置しており、上記ロック部が上記付勢部材によって上記ヒンジアームの一側縁部に当接した状態にあり、
上記パネルが開方向に回動されると、上記ヒンジアームは、上記ロック解除アームと一体的に上記ブラケットに対して上記ロックアームのロック部が上記ヒンジアームのロック凹部に係合するまで移動し、上記パネルが上記機器本体の一側面を開いた状態に保持され、
更に、上記パネルが上記ヒンジアームの係合部が上記ブラケットに係合するまで開方向に回動されるとき、上記ロック解除アームの第１の被押圧部が上記ブラケットの一部によって押圧され、上記ロック解除アームが上記ヒンジアームのロック凹部と重なる位置まで移動して、上記ロック凹部に対する上記ロック部の係合禁止状態となり、
次いで、上記パネルが閉方向に回動されると、上記ヒンジアームは、上記ロック部が上記ロック凹部に係合することなく上記ロック解除アームと一体的に上記ブラケットに対して同方向に移動し、
次いで、上記ロック解除アームの第２の被押圧部が上記ブラケットの一部によって押圧され、上記ヒンジアームのロック凹部より内側に位置され、上記パネルが上記機器本体の一側面を閉じた状態に保持されることを特徴する電子機器。
【請求項７】
更に、上記ヒンジアームと上記ロック解除アームとを連結し、第１の状態にあるとき、上記ロック解除アームを、上記ヒンジアームのロック凹部より内側の位置に位置した状態に維持し、第２の状態にあるとき、上記ロック解除アームが上記ヒンジアームのロック凹部と重なる位置に維持するトグル部材を備え、
上記トグル部材は、上記機器本体の一側面を上記パネルが閉塞しているとき、上記ロック解除アームを上記ヒンジアームのロック凹部より内側に配置させ、上記パネルが開方向に回動されると、上記第１の状態から第２の状態に反転することにより、上記ロック解除アームが上記ヒンジアームのロック凹部と重なる位置まで移動させ、上記パネルが閉方向に回動されると、上記第２の状態から第１の状態に反転することにより、上記ロック解除アームを上記ヒンジアームのロック凹部より内側に移動させるようにしたことを特徴とする請求項６記載の電子機器。
【請求項８】
上記ヒンジアームのロック凹部は、複数設けられており、上記ロック部が選択的にロック凹部に係合することで、上記パネルが上記装置本体の一側面を開いた状態を複数の状態で保持できるようにした請求項６記載の電子機器。
【発明の詳細な説明】
【技術分野】
【０００１】
本発明は、装置本体の一側面に取り付けられ、この一側面を開閉する操作パネル等のパネルの開閉機構及びこれを備えた電子機器に関する。
【背景技術】
【０００２】
特許文献１には、フロントパネルが他の部分と干渉しないように、フロントパネルの外面を上方に向けさせることができるパネルの開閉機構が記載されている。この特許文献１では、フロントパネルの開閉を、ロックスイッチを用いて行うことが記載されている。したがって、特許文献１では、フロントパネルの開閉機構とロックスイッチとのリンク機構を設ける必要があり、その構成が複雑となってしまう。
【０００３】
また、ディスクカートリッジの記録再生装置等では、多機能化が進んでおり、また、操作性の向上のためフロントパネルに設けられる表示部も大きくなってきていることから、操作スイッチをフロントパネルに多く設けにくくなってきている。
【０００４】
【特許文献１】特開２００６−３０２３３５号公報
【発明の開示】
【発明が解決しようとする課題】
【０００５】
本発明は、以上のような課題に鑑みてなされたものであって、その目的は、フロントパネル等の装置本体の一側面を開閉するパネルの開閉のための機構を簡素化することができるパネルの開閉機構及びこれを備えた電子機器を提供することにある。
【課題を解決するための手段】
【０００６】
本発明に係る装置本体の一側面に取り付けられ、この一側面を開閉するパネルの開閉機構は、上記装置本体の一側面に固定されるブラケットと、上記ブラケットに、上記パネルの開閉方向に移動可能に支持され、一端部に上記パネルが取り付けられ、他端部に上記ブラケットの開口端に係合して開方向の移動量を制限する係合部が形成され、長さ方向の一側縁部に、上記パネルを上記装置本体の一側面を開いた状態に保持する少なくとも一のロック凹部が形成されたヒンジアームと、上記ヒンジアームに重なるように、このヒンジアームの幅方向に対して移動可能に取り付けられ、上記係合部に対応する端部に上記ブラケットの一部に押圧される第１の被押圧部が形成され、長さ方向の一側縁部に上記ブラケットの一部に押圧される第２の被押圧部が形成されたロック解除アームと、上記ブラケットに回動可能に取り付けられ、上記ヒンジアームのロック凹部に係合するロック部を有するロックアームと、上記ロックアームを、上記ロック部が上記ヒンジアームのロック凹部に係合する方向に付勢する付勢部材とを備える。
【０００７】
そして、上記装置本体の一側面を上記パネルが閉塞しているとき、上記ロック解除アームが上記ヒンジアームのロック凹部より内側に位置しており、上記ロック部が上記付勢部材によって上記ヒンジアームの一側縁部に当接した状態にある。
【０００８】
上記パネルが開方向に回動されると、上記ヒンジアームは、上記ロック解除アームと一体的に上記ブラケットに対して上記ロックアームのロック部が上記ヒンジアームのロック凹部に係合するまで移動し、上記パネルが上記装置本体の一側面を開いた状態に保持される。
【０００９】
上記パネルを閉塞する場合、更に、上記パネルが上記ヒンジアームの係合部が上記ブラケットに係合するまで開方向に回動されるとき、上記ロック解除アームの第１の被押圧部が上記ブラケットの一部によって押圧され、上記ロック解除アームが上記ヒンジアームのロック凹部と重なる位置まで移動して、上記ロック凹部に対する上記ロック部の係合禁止状態となり、次いで、上記パネルが閉方向に回動されると、上記ヒンジアームは、上記ロック部が上記ロック凹部に係合することなく上記ロック解除アームと一体的に上記ブラケットに対して同方向に移動し、次いで、上記ロック解除アームの第２の被押圧部が上記ブラケットの一部によって押圧され、上記ヒンジアームのロック凹部より内側に位置され、上記パネルが上記装置本体の一側面を閉じた状態に保持される。
【００１０】
また、本発明に係る電子機器は、一側面に操作部が設けられた機器本体と、上記機器本体の一側面を開閉するパネルと、上記機器本体の一側面に対して上記パネルを回動支持する上述した開閉機構とを備えるものである。
【発明の効果】
【００１１】
本発明では、従来のように、ロックスイッチを用いてパネルの開閉を行うものではなくユーザの手によって開閉されるものであるから、パネルの開閉機構とロックスイッチとのリンク機構等を設ける必要が無くなり構成の簡素化を図ることができる。また、パネルには、ロックスイッチを設ける必要がないことから、操作部を構成する各種ボタンを多機能化に合わせ増やすことができ、また、表示部をより大型化し見やすいものとすることができる。そして、パネルの開閉をユーザの手でパネルを持って行うことができることから、開閉操作を極めて簡単に行うことができる。
【発明を実施するための最良の形態】
【００１２】
以下、本発明を適用した記録再生装置について、図面を参照して説明する。
【００１３】
図１に示すように、本発明が適用された記録再生装置１０は、略矩形の装置本体１１の前面部に操作パネル１２が設けられてなる。装置本体１１の前面部には、上側に、光ディスク、磁気ディスク等を記録媒体に用いたディスクカートリッジ、磁気テープを記録媒体に用いたテープカセット、半導体メモリを記録媒体に用いたＩＣカード等のリムーバル記録媒体のスロット１３が形成され、このスロット１３の下側に、操作パネル１２が配設されている。操作パネル１２は、略中央部に、動作状況を表示するＬＣＤ等で表示部１４が設けられており、その周囲に、ダイヤルボタン、押しボタン等で構成された操作部１５が設けられている。操作部１５では、スロット１３より挿入されたリムーバル記録媒体に対して、ビデオカメラ等の外部機器から入力された映像データ、音声データ等の処理データを記録するための操作を行うことができ、また、スロット１３に挿入されたリムーバル記録媒体に記録されている映像データ、音声データ等の処理データを再生するための操作を行うことができ、例えば、モニタに対して出力できるようになっている。更に、この記録再生装置１０では、操作部１５を操作することによって、リムーバル記録媒体に記録する記録する処理データ、リムーバル記録媒体に記録されている処理データの編集作業を行うことができるようになっている。
【００１４】
このような記録再生装置１０は、通常、机、床、棚等様々な場所に設置されるものであり、設置場所によっては、ユーザの目線より低い位置に設置されることがある。この場合、操作パネル１２は、ユーザの目線より下側において、設置面に対して垂直な状態になっていることから、ユーザにとって、操作部１５を操作しづらく、また、表示部１４が見にくい状態となっている。そこで、記録再生装置１０では、操作パネル１２が装置本体１１の前面部を開閉できるできるようになっており、操作パネル１２の姿勢を装置本体１１の前面部に対して斜め上方を向くように、すなわち図１中矢印Ａ方向となるチルト方向に回動することができる。これにより、記録再生装置１０では、表示部１４を見やすく、更に操作部１５の操作性の向上を図るようにしている。具体的に、操作パネル１２は、装置本体１１の前面部に対して、１５°、４０°の２段階に開くことができ、４０°より更に開く方向に移動させることによって、０°、すなわち装置本体１１の前面部を閉じた状態に戻すことができる。この操作パネル１２は、装置本体１１の前面部において、左右端部に形成された開閉機構２０によって取り付けられている。この開閉機構２０は、装置本体１１の前面部の左右に２つ設けられているものであるが、これら２つは、同様な構成を有しているため、一方のみをここでは説明する。
【００１５】
この開閉機構２０は、図２に示すように、ブラケット２１と、このブラケット２１に移動可能に取り付けられると共に一端部に操作パネル１２が固定されるヒンジアーム２２と、このヒンジアーム２２に重ね合わされるロック解除アーム２３と、ヒンジアーム２２とロック解除アーム２３とを連結するトグル部材２４と、ヒンジアーム２２の移動をロックするロックアーム２５と、このロックアーム２５をロック方向に付勢する付勢部材２６と、ブラケット２１を装置本体１１の前面部に取り付ける取付板２７とを備えている。
【００１６】
ブラケット２１は、ＰＰＳ（熱可塑性エンジニアリングプラスチック）のモールド成型品であって、略箱状に形成され、一方の面が部品配置のため開口されて形成されている。このブラケット２１には、ヒンジアーム２２とロック解除アーム２３とが挿通される移動溝３１が形成されている。この移動溝３１は、全体が略円弧状に形成されたヒンジアーム２２とロック解除アーム２３の形状に合わせて湾曲して形成されており、一方の開口端３１ａに、第１の押圧部３２が形成され、他方の開口端３１ｂに、第２の押圧部３３が形成されている。移動溝３１の底面には、更に、ガイド溝３４が形成されている。このガイド溝３４には、ヒンジアーム２２のガイド突部４３が係合される。
【００１７】
また、ブラケット２１には、ロックアーム２５と付勢部材２６を配設するための空間部３５が形成されており、この空間部３５には、ロックアーム２５を回動支持する回動軸３６が設けられている。
【００１８】
更に、ブラケット２１には、対角をなす２つのコーナ部に取付片３７が形成されており、取付片３７のそれぞれには、取付孔３７ａが形成されている。ブラケット２１は、これら取付孔３７ａ，３７ａにねじ等の固定部材を挿通し、取付板２７を介して装置本体１１の前面部に取り付けられる。
【００１９】
以上のようなブラケット２１に移動可能に取り付けられるヒンジアーム２２は、全体が略円弧をなすようにステンレス等の金属板によって形成されており、一端部２２ａに、操作パネル１２の裏面が固定される取付孔４１が形成されている。また、ヒンジアーム２２の他端部２２ｂには、鋭角に窪んだ係合部４２が形成されている。この係合部４２は、操作パネル１２を４５°まで開くとき、ブラケット２１の一方の開口端３１ａに係合することによって、ブラケット２１に対するヒンジアーム２２の移動範囲を規制する。
【００２０】
このヒンジアーム２２の一方の面には、ブラケット２１の移動溝３１に形成されたガイド溝３４に係合するガイド突部４３がＰＰＳ等の樹脂によってインサート成形されている。ガイド突部４３は、ブラケット２１の移動溝３１内のガイド溝３４に係合することによって、ブラケット２１に対するヒンジアーム２２の移動をガイドすると共にがたつきを防止する。更に、ヒンジアーム２２の他方の面にも、ガイド部４４がガイド突部４３と同様インサート成形によって形成されている。このガイド部４４は、幅方向略中央に、係合溝４４ａが形成されている。この係合溝４４ａには、取付板２７に設けられた弾性係合片７１の先端部の突部７２が係合される。これにより、ヒンジアーム２２は、ブラケット２１側に常に押さえ付けられ、ガイド突部４３がブラケット２１のガイド溝３４より脱落しないようにしている。
【００２１】
更に、ヒンジアーム２２には、略円弧をなす長さ方向の一側縁には、第１乃至第３のロック凹部４５ａ，４５ｂ，４５ｃが形成されている。この内、一端部２２ａ側に形成された第１のロック凹部４５ａは、操作パネル１２が装置本体１１の前面部を閉塞しているときに、ロックアーム２５のロック部となるコロ６３が係合されるものであり（０°の状態）、第２のロック凹部４５ｂは、操作パネル１２が装置本体１１の前面部より１５°開いたときに、ロックアーム２５のロック部となるコロ６３が係合されるものであり（１５°の状態）、第３のロック凹部４５ｃは、操作パネル１２が装置本体１１の前面部より４０°開いたときに、ロックアーム２５のロック部となるコロ６３が係合されるものである（４０°の状態）。なお、このロック凹部４５ａ，４５ｂ，４５ｃの数は、３つに限定されるものではなく、例えば、０°のときの第１のロック凹部４５ａを省略しても２つにしても良く、更に、４つ以上設け、更に多くの姿勢で操作パネル１２が装置本体１１の前面部を開くようにしても良い。
【００２２】
以上のようなヒンジアーム２２には、ガイド突部４３が形成された側の面に、重ね合わされるロック解除アーム２３のヒンジアーム２２に対する移動をガイドするために、一端部２２ａ側に、第１のガイド軸４６が形成され、他端部２２ｂ側に、第２のガイド軸４７が形成されている。
【００２３】
そして、このようなヒンジアーム２２に重ね合わされるロック解除アーム２３は、ヒンジアーム２２のガイド突部４３側の面、すなわちブラケット２１とヒンジアーム２２との間に重ね合わされる。このロック解除アーム２３は、ＳＰＣＣ等の金属板で形成され、ヒンジアーム２２と同様に略円弧状をしながらも、ヒンジアーム２２より細く形成されている。そして、ロック解除アーム２３は、ヒンジアーム２２のガイド突部４３に沿うように、ガイド突部４３と第１乃至第３のロック凹部４５ａ〜４５ｃが形成された一側縁との間の領域に移動可能に配設される。ロック解除アーム２３は、他端部２３ｂに、第１の被押圧部５１が形成されている。第１の被押圧部５１は、ヒンジアーム２２に重ね合わされたときに、ヒンジアーム２２の係合部４２の近傍に位置し、ヒンジアーム２２の係合部４２がブラケット２１に形成された移動溝３１の一方の開口端３１ａに係合する直前に、この開口端３１ａの第１の押圧部３２に押圧される。
【００２４】
また、ロック解除アーム２３には、ヒンジアーム２２に重ね合わされたとき、第１乃至第３のロック凹部４５ａ〜４５ｃの側縁の他端部２３ｂ側に第２の被押圧部５２が形成されている。第２の被押圧部５２は、ヒンジアーム２２に重ね合わされたときに、ブラケット２１に形成された移動溝３１の他方の開口端３１ｂの第２の押圧部３３に押圧される。
【００２５】
以上のようなロック解除アーム２３には、一端部２３ａ側に、ヒンジアーム２２の第１のガイド軸４６が係合される第１のガイド孔５３が形成され、他端部２３ｂ側に、ヒンジアーム２２の第２のガイド軸４７が係合される第２のガイド孔５４が形成されている。第１及び第２のガイド孔５３，５４は、第１及び第２のガイド軸４６，４７が係合され、ロック解除アーム２３がヒンジアーム２２に重ね合わされたとき、ロック解除アーム２３がヒンジアーム２２の幅方向に対して略斜めに移動するようガイドし、ロック解除アーム２３がヒンジアーム２２の第１乃至第３のロック凹部４５ａ〜４５ｃより内側の位置と第１乃至第３のロック凹部４５ａ〜４５ｃと重なった位置との間で移動できるようにする。
【００２６】
なお、ヒンジアーム２２のガイド突部４３の第１乃至第３のロック凹部４５ａ〜４５ｃ側の側面は、ロック解除アーム２３が第１乃至第３のロック凹部４５ａ〜４５ｃより内側の位置しているとき、このロック解除アーム２３が突き当たる位置規制壁としても機能する。
【００２７】
互いに重ね合わされるヒンジアーム２２とロック解除アーム２３とは、トグル部材２４によって連結される。トグル部材２４は、例えば線状部材を巻回して形成した所謂トグルバネであって、一方のアーム２４ａがヒンジアーム２２の一端部２２ａに形成された第１のガイド軸４６に係合され、他方のアーム２４ｂがロック解除アーム２３の一端部２３ａに形成された係合突起５５に係合される。トグル部材２４は、第１の状態にあるとき、ヒンジアーム２２に対してロック解除アーム２３を、第１乃至第３のロック凹部４５ａ〜４５ｃより内側の位置に維持し、ロックアーム２５によりヒンジアーム２２をロック可能な状態に維持し、反転して第２の状態にあるとき、第１乃至第３のロック凹部４５ａ〜４５ｃと重なった位置に維持し、ロックアーム２５によりヒンジアーム２２をロック不能な状態すなわちロック解除状態を維持する。すなわち、トグル部材２４は、操作パネル１２を開くとき、第１の状態にあって、１５°、４０°に操作パネル１２が開いたときのヒンジアーム２２をロックアーム２５でロックされるようにし、操作パネル１２を閉じるとき、第２の状態になり、ロック解除の状態にし、操作パネル１２が装置本体１１の前面部を閉じられるようにする。このように連結されたヒンジアーム２２とロック解除アーム２３とは、ロック解除アーム２３がヒンジアーム２２に対して移動しながらも、操作パネル１２の開閉に伴い、ブラケット２１の移動溝３１に沿って移動することになる。
【００２８】
なお、このトグル部材２４は、ヒンジアーム２２に対してロック解除アーム２３を、第１乃至第３のロック凹部４５ａ〜４５ｃより内側の位置に維持でき、また、第１乃至第３のロック凹部４５ａ〜４５ｃと重なった位置に維持できるのであれば、本発明において、必ずしも必要となるものではない。また、ロック解除アーム２３をこれらの２つの位置に維持するに当たっては、トグルバネ以外の一又は複数の部材を用いても良い。
【００２９】
操作パネル１２の開閉を行う際にロック解除アーム２３と一体的に移動するヒンジアーム２２をロックするロックアーム２５は、ＳＥＣＣ等で形成されており、基体部６１の基端側に略コ字状をなすように支持片６２が形成されている。そして、基体部６１の基端部と支持片６２には、中心を一致させて、支持孔６２ａ，６２ｂが形成されている。これら支持孔６２ａ，６２ｂには、ブラケット２１の空間部３５に設けられた回動軸３６が挿通され、ロックアーム２５は、この回動軸３６を回動支点として、ブラケット２１の空間部３５内を回動するように取り付けられる。
【００３０】
また、基体部６１の先端部には、ヒンジアーム２２の第１乃至第３のロック凹部４５ａ，４５ｂ，４５ｃに選択的に係合するロック部となるコロ６３が形成されている。
【００３１】
離間した基体部６１の基端部と支持片６２の間には、コロ６３がヒンジアーム２２の第１乃至第３のロック凹部４５ａ，４５ｂ，４５ｃに係合する図３中矢印Ｃ方向に、ロックアーム２５全体を回動付勢する付勢部材２６が取り付けられる。具体的に、付勢部材２６は、例えば捻りコイルバネであって、コイル部６６が回動軸３６に巻挿され、一方のアーム部６７が基体部６１の係止部６４に係止され、他方のアーム部６８がブラケット２１の空間部３５内の側壁に係止され、これにより、付勢部材２６は、ロックアーム２５全体を、回動軸３６を中心に、コロ６３がヒンジアーム２２の第１乃至第３のロック凹部４５ａ，４５ｂ，４５ｃに係合する図３中矢印Ｃ方向に回動付勢するようにしている。
【００３２】
ところで、図３に示すように、ロックアーム２５は、ヒンジアーム２２が装置本体１１の前面部を閉じる図３中矢印Ｂ方向に移動する際の下流側に回動支点となる回動軸３６が設けられ、上流側にロック部となるコロ６３が形成されている。これに対して、ヒンジアーム２２の第１乃至第３のロック凹部４５ａ，４５ｂ，４５ｃは、ヒンジアーム２２が装置本体１１の前面部を閉じる図３中矢印Ｂ方向に移動する際の上流側の縁部４８ａが急峻に形成され、下流側の縁部４８ｂがなだらかに形成されている。これにより、操作パネル１２が装置本体１１の前面部を開いた状態にあるとき、操作パネル１２の自重で装置本体１１の前面部を閉じる図３中矢印Ｂ方向の力が発生することになるが、ロックアーム２５のコロ６３が第１乃至第３のロック凹部４５ａ，４５ｂ，４５ｃの急峻に立ち上がった縁部４８ａに食い込むように突き当たることで、十分に、操作パネル１２を支持できるようになっている。また、操作パネル１２を開くとき、すなわちヒンジアーム２２を図３中反矢印Ｂ方向に移動させる際には、縁部４８ｂがなだらかに形成されていることから、０°から１５°の姿勢に移動する際、１５°から４０°の姿勢に移動する際、操作パネル１２を閉じるため４０°から４５°に移動する際に滑らかに弱い力でコロ６３を縁部に沿って移動させることができる。
【００３３】
図２に示すように、ブラケット２１の移動溝３１にロック解除アーム２３が重ね合わされたヒンジアーム２２が配設され、更に、空間部３５内にロックアーム２５や付勢部材２６が配設されると、ブラケット２１の開口は、取付板２７によって閉塞される。この取付板２７は、ＳＥＣＣ等の金属板で形成されており、ブラケット２１の開口を閉塞できる大きさに形成されている。この取付板２７の内側の面には、ヒンジアーム２２のガイド部４４に摺接してをブラケット２１側に押圧する弾性係合片７１が設けられている。この弾性係合片７１には、先端部に突部７２が形成されており、この突部７２は、ガイド部４４の係合溝４４ａに係合するようになっている。取付板２７は、ブラケット２１の取付孔３７ａ，３７ａにねじ等の固定部材を挿通し、更に、取付板２７のねじ孔７３，７３に挿通し、装置本体１１の前面部に設けられた固定孔に固定することによって取り付けられる。かくして、取付板２７がブラケット２１に取り付けられると、弾性係合片７１は、ヒンジアーム２２をブラケット２１側に押圧しながら、突部７２が係合溝４４ａに係合することによって、ヒンジアーム２２の移動をガイドすることになる。
【００３４】
以上のように構成された操作パネル１２の開閉機構２０は、装置本体１１の前面部を閉塞しているとき、図４に示す状態にある。すなわち、ロック解除アーム２３が第１の状態にあるトグル部材２４によってヒンジアーム２２の第１乃至第３のロック凹部４５ａ，４５ｂ，４５ｃより内側に位置しており、ロックアーム２５のロック部となるコロ６３が付勢部材２６によって図４中矢印Ｃ方向に回動付勢されることによって、第１のロック凹部４５ａに係合した状態にある。
【００３５】
そして、操作パネル１２が開方向となる図４中矢印Ａ方向にユーザが手で持ってチルト方向に回動されると、操作パネル１２が一端部２２ａに固定されているヒンジアーム２２は、ロック解除アーム２３と一体的にブラケット２１の移動溝３１に沿ってロックアーム２５のロック部となるコロ６３がヒンジアーム２２の第２のロック凹部４５ｂに係合するまで移動する。このとき、操作パネル１２が装置本体１１の前面部を閉じているときにヒンジアーム２２の第１のロック凹部４５ａに係合しているコロ６３は、図３に示すように、第１のロック凹部４５ａの縁部４８ｂがなだらかに形成されていることから、滑らかに弱い力で第１のロック凹部４５ａのなだらかな縁部４８ｂを乗り上げ、ヒンジアーム２２の側縁部に沿って第２のロック凹部４５ｂまで移動することができる。そして、コロ６３が第２のロック凹部４５ｂに係合したとき、操作パネル１２の自重で装置本体１１の前面部を閉じる図３及び図４中矢印Ｂ方向の力が発生することになるが、操作パネル１２は、ロックアーム２５のコロ６３が第２のロック凹部４５ｂの急峻に立ち上がった縁部４８ａに食い込むように突き当たることで、１５°に開いた状態が安定して支持されることになる。
【００３６】
更に、操作パネル１２が１５°開いた状態から４０°に開いた状態になるまでユーザによってチルト方向に回動されると、図５に示す状態となる。すなわち、操作パネル１２が一端部２２ａに固定されているヒンジアーム２２は、ロック解除アーム２３と一体的にブラケット２１の移動溝３１に沿ってロックアーム２５のロック部となるコロ６３がヒンジアーム２２の第２のロック凹部４５ｂから第３のロック凹部４５ｃに係合するまで移動する。このとき、ヒンジアーム２２の第２のロック凹部４５ｂに係合しているコロ６３は、図３に示すように、第２のロック凹部４５ｂの縁部４８ｂがなだらかに形成されていることから、滑らかに弱い力で第２のロック凹部４５ｂの縁部４８ｂを乗り上げ、ヒンジアーム２２の側縁部に沿って第３のロック凹部４５ｃまで移動することができる。そして、コロ６３が第３のロック凹部４５ｃに係合したとき、操作パネル１２の自重で装置本体１１の前面部を閉じる図３及び図５中矢印Ｂ方向の力が発生することになるが、操作パネル１２は、ロックアーム２５のコロ６３が第３のロック凹部４５ｃの急峻に立ち上がった縁部４８ａに食い込むように突き当たることで、４０°に開いた状態が安定して支持されることになる。この４０°に操作パネル１２が開いた状態は、操作パネル１２を操作するに当たって最も開いた状態である。
【００３７】
そして、操作パネル１２が４０°開いた状態から０°の状態、すなわち装置本体１１の前面部を閉じた状態に戻すには、図６に示すように、操作パネル１２が４０°開いた状態から更に４５°開いた状態にまで回動される。すると、ヒンジアーム２２の係合部４２がブラケット２１に形成された移動溝３１の一方の開口端３１ａに係合する直前に、ヒンジアーム２２に重ね合わされているロック解除アーム２３の第１の被押圧部５１がブラケット２１の移動溝３１の一方の開口端３１ａに形成された第１の押圧部３２に押圧される。すると、トグル部材２４は、第１の状態から第２の状態に反転し、ロック解除アーム２３をヒンジアーム２２の第１乃至第３のロック凹部４５ａ，４５ｂ，４５ｃと重なる位置まで移動して、第１乃至第３のロック凹部４５ａ，４５ｂ，４５ｃに対するコロ６３の係合禁止状態にする。
【００３８】
次いで、ユーザによって操作パネル１２が閉方向となる図６中矢印Ｂ方向に回動されると、操作パネル１２の自重も手伝って、ヒンジアーム２２は、ロックアーム２５のコロ６３が第２のロック凹部４５ｂに係合することなくロック解除アーム２３と一体的に同方向に回動する。このとき、付勢部材２６によって図６中矢印Ｃ方向に回動付勢されているロックアーム２５のコロ６３は、コロ６３が第１乃至第３のロック凹部４５ａ，４５ｂ，４５ｃに係合することを禁止した状態にあるロック解除アーム２３の側縁部に摺接しながら第３のロック凹部４５ｃから第１のロック凹部４５ａの方向に移動することになる。
【００３９】
操作パネル１２が装置本体１１の前面部を閉塞する直前の状態まで回動されると、図７に示すように、ロック解除アーム２３の第２の被押圧部５２がブラケット２１の移動溝３１の他方の開口端３１ｂの第２の押圧部３３に押圧される。すると、トグル部材２４は、第２の状態から第１の状態に反転し、ロック解除アーム２３を第１乃至第３のロック凹部４５ａ〜４５ｃと重なった位置からヒンジアーム２２の第１乃至第３のロック凹部４５ａ〜４５ｃより内側に位置させる。これにより、図７中矢印Ｃ方向に回動付勢されているロックアーム２５は、コロ６３が第１のロック凹部４５ａに係合可能な状態になり、操作パネル１２が装置本体１１の前面部を閉塞する方向に更に回動することで、図４に示したように、ロックアーム２５のコロ６３が付勢部材２６によって図４中矢印Ｃ方向に回動付勢されることによって、第１のロック凹部４５ａに係合した状態に戻る。
【００４０】
以上のように構成された開閉機構２０では、従来のように、ロックスイッチを用いて操作パネル１２の開閉を行うものではないことから、操作パネル１２の開閉機構とロックスイッチとのリンク機構等を設ける必要が無くなり構成の簡素化を図ることができる。また、操作パネル１２には、ロックスイッチを設ける必要がないことから、操作部１５を構成する各種ボタンを多機能化に合わせ増やすことができ、また、表示部１４をより大型化し見やすいものとすることができる。そして、この記録再生装置１０では、操作パネル１２の開閉をユーザの手で操作パネル１２を持って行うことができることから、開閉操作を極めて簡単に行うことができる。
【００４１】
以上、本発明を、記録再生装置１０を例に取り説明したが、本発明は、記録再生装置１０の操作パネル１２の開閉機構２０に限定されるものではなく、ビデオカメラ等種々の電気機器に用いられる操作パネルの開閉機構に適用することができる。また、開閉機構２０に支持される操作パネル１２は、装置本体の前面部に設けられるものではなく、側面部等に設けられるものであっても良い。また、パネルとしては、操作パネルの他、表示パネル等であっても良い。
【図面の簡単な説明】
【００４２】
【図１】本発明が適用された記録再生装置の外観斜視図である。
【図２】本発明が適用された操作パネルの開閉機構の分解斜視図である。
【図３】ヒンジアームのロック凹部とロックアームとの位置関係を示す要部平面図である。
【図４】操作パネルが装置本体の前面部を閉塞した状態を示す側面図である。
【図５】操作パネルが装置本体の前面部に対して４０°開いた状態を示す側面図である。
【図６】操作パネルを装置本体の前面部を閉じるため４５°まで開いた状態を示す側面図である。
【図７】ロック解除アームの第２の被押圧部がブラケットの移動溝の他方の開口端の第２の押圧部に押圧される状態を示す側面図である。
【符号の説明】
【００４３】
１０ 記録再生装置、１１ 装置本体、１２ 操作パネル、１３ スロット、１４ 表示部、１５ 操作部、２０ 開閉機構、２１ ブラケット、２２ ヒンジアーム、２２ａ 一端部、２２ｂ 他端部、２３ ロック解除アーム、２３ａ 一端部、２３ｂ 他端部、２４ トグル部材、２４ａ アーム、２４ｂ アーム、２５ ロックアーム、２６ 付勢部材、２７ 取付板、３１ 移動溝、３１ａ 開口端、３１ｂ 開口端、３２ 第１の押圧部、３３ 第２の押圧部、３４ ガイド溝、３５ 空間部、３６ 回動軸、３７ 取付片、３７ａ 取付孔、４１ 取付孔、４２ 係合部、４３ ガイド突部、４４ ガイド部、４４ａ 係合溝、４５ａ 第１のロック凹部、４５ｂ  第２のロック凹部、４５ｃ 第３のロック凹部、４６ 第１のガイド軸、４７ 第２のガイド軸、４８ａ 急峻な縁部、４８ｂ なだらかな縁部、５１ 第１の被押圧部、５２ 第２の被押圧部、５３ 第１のガイド孔、５４  第２のガイド孔、５５ 係合突起、６１ 基体部、６２ 支持片、６２ａ，６２ｂ 支持孔、６３ コロ、６４ 係止部、６６ コイル部、６７ 一方のアーム部、６８ 他方のアーム部、７１ 弾性係合片、７２ 突部、７３ ねじ孔
【図１】
2008262653.tif 000003
【図２】
2008262653.tif 000004
【図３】
2008262653.tif 000005
【図４】
2008262653.tif 000006
【図５】
2008262653.tif 000007
【図６】
2008262653.tif 000008
【図７】
2008262653.tif 000009